(57)【特許請求の範囲】
【請求項１】
共通端子と、この共通端子との間で屋内の負荷と電源とを介する既設配線が形成された切替端子と、を有し屋内の負荷をＯＮ／ＯＦＦする既設スイッチを備える可変空間対応配線システムであって、
予め既設スイッチの切替端子から延出して増設用配線が設けられ、前記既設配線の一部分と増設用配線との間に屋内の照明ランプをＯＮ／ＯＦＦする増設３路スイッチの増設が可能となっており、
前記既設スイッチは、前記切替端子として、共通端子との間で屋内の負荷と電源とを介する既設配線が形成された第１切替端子と、この第１切替端子との間で切替え接続される第２切替端子と、を備える既設３路スイッチであることを特徴とする可変空間対応配線システム。
【請求項２】
請求項１記載の可変空間対応配線システムにおいて、前記屋内の内面に設置され、前記既設配線の一部分と前記増設用配線の末端部分とを収容し、かつ、前記増設３路スイッチの増設に際して配線の引き出しが可能な開口を備えた収容部が設けられていることを特徴とする可変空間対応配線システム。
【請求項３】
請求項１または２に記載の可変空間対応配線システムにおいて、前記負荷と、前記電源と、前記既設スイッチの共通端子・切替端子と、の各々から引き出された配線の末端部分を収容するジョイントボックスを設け、このジョイントボックス内で前記配線の末端部分どうしを接続することで配線が可能となっていることを特徴とする可変空間対応配線システム。
【請求項４】
請求項１〜３のいずれか一つに記載の可変空間対応配線システムにおいて、前記屋内に間仕切り壁が設けられて間仕切りされた状態で、間仕切りされた各々の空間の負荷をＯＮ／ＯＦＦする増設３路スイッチが、前記既設配線の一部分と前記増設用配線との間に増設されていることを特徴とする可変空間対応配線システム。
【請求項５】
請求項１〜４のいずれか一つに記載の可変空間対応配線システムのスイッチ増設方法であって、前記屋内に間仕切り壁が設けられて間仕切りされ、前記既設配線の一部分と前記増設用配線との間に、間仕切りされた各々の空間の負荷をＯＮ／ＯＦＦする増設３路スイッチを増設することを特徴とする可変空間対応配線システムのスイッチ増設方法。
【発明の詳細な説明】
【０００１】
【発明の属する技術分野】
本発明は、室内の照明ランプなどのスイッチを低コストかつ容易に増設できる可変空間対応配線システムおよび可変空間対応配線システムのスイッチ増設方法に関する。
【０００２】
【背景の技術】
従来、住宅などの部屋空間は予めある程度の大空間として形成しておき、この後に用途・目的に応じて間仕切り壁を適宜設ける場合がある。この場合には、通常、大空間を形成する時点で室内配線も設けられており、形成された間仕切り空間にあわせて、照明などのスイッチを増設する必要が生じる。
【０００３】
例えば、特開平１０−６６２２２号公報には、配線を内装させたユニットを部屋空間の天井部分に設けると共に、間仕切り壁をこのユニットに対して可動自在に設ける構成が開示されている。上記構成によれば、天井部分に設けられたユニットから配線を引き出して、間仕切り壁の部分などにスイッチなどの配線器具がある程度容易に設けられる。従って、例えば、大空間から間仕切られた空間への対応が可能となる。
【０００４】
【発明が解決しようとする課題】
しかしながら、実際には、大空間から間仕切りされる部屋空間はさまざまなレイアウトで間仕切りされ、間仕切り後のレイアウトを当初から考慮して、大空間に室内配線を設けておくことは困難である。このために、間仕切り後のスイッチの増設には、以下に示すように、大きな施工負荷が生じていた。
【０００５】
すなわち、例えば、図４に示すように、大空間に形成された部屋空間１００に、照明ランプ１０１をＯＮ／ＯＦＦするスイッチ１０２が設けられている（図４（ａ））。この部屋空間１００が、間仕切り壁１０３により２つの間仕切り空間１００ａ、１００ｂに仕切られると共に、両空間を行き来自在にするドア１０４が設けられる（図４（ｂ））。このようなレイアウトの変更に伴い、既設のスイッチ１０２に加えて、スイッチ１０２ａ、１０２ｂの増設が必要となる。
【０００６】
ここで、照明などの電気配線は、例えば、室内の天井部分に設けられており、スイッチ１０２ａ、１０２ｂを増設するには、この天井部分から配線を引き出す必要がある。このために、天井の張り替え工事を伴う場合があり、スイッチを増設する際に大きな作業負荷が生じていた。さらに、天井張り替え工事では、どの部分から配線を引き出せるかが屋内からみて一目でわからず、作業者は配線を引き出すために適切な部分を探す必要もあった。
さらに、間仕切り空間１００ａ、１００ｂでの便宜を考慮すると、図４（ａ）の既設配線はそのまま利用できない。すなわち、間仕切り空間１００ａの照明ランプ１０１ａ、１０１ａがスイッチ１０２ａによりＯＮ／ＯＦＦされ、かつ、間仕切り空間１００ｂの照明ランプ１０１ｂ、１０１ｂがスイッチ１０２ｂによりＯＮ／ＯＦＦされるように適宜配線し直すことが必要であった。
また、上記公報に示される構成では、配線を内装させたユニットが別途追加されコスト高につながると共に、施工に際しても、このユニットを設ける作業が増すことになり作業負荷が伴う。
【０００７】
本発明の課題は、大空間が間仕切られた場合でも容易にスイッチが増設でき、かつ、スイッチの増設に際して既設配線をそのまま利用できるために低コストである可変空間対応配線システムおよび可変空間対応配線システムのスイッチ増設方法を提供することである。
【０００８】
【課題を解決するための手段】
以上の課題を解決するため、請求項１記載の発明は、例えば、図１、２に示すように、共通端子１１ａ、２１ａと、この共通端子１１ａ、２１ａとの間で屋内の負荷（例えば照明ランプ１２）と電源１３とを介する既設配線Ｐが形成された切替端子（例えば、図１に示す第１切替端子１１ｂおよび第２切替端子１１ｃ、図２に示す切替端子２１ｂ）と、を有し屋内の負荷（１２）をＯＮ／ＯＦＦする既設スイッチ（例えば、図１に示す既設３路スイッチ１１、図２に示す既設スイッチ２１）を備える可変空間対応配線システムであって、予め既設スイッチ（１１、２１）の切替端子（１１ｂ、１１ｃ、２１ｂ）から延出して増設用配線Ｑが設けられ、前記既設配線Ｐの一部分（例えばおよそＧ位置からＨ位置の部分）と増設用配線Ｑとの間に屋内の負荷（１２）をＯＮ／ＯＦＦする増設３路スイッチ１６の増設が可能となっており、
前記既設スイッチ（１１、２１）は、前記切替端子として、共通端子１１ａとの間で屋内の負荷（１２）と電源１３とを介する既設配線Ｐが形成された第１切替端子１１ｂと、この第１切替端子１１ｂとの間で切替え接続される第２切替端子１１ｃと、を備える既設３路スイッチ１１であることを特徴とする。
【０００９】
ここで、「屋内の負荷（１２）」とは、例えば、照明ランプ、換気扇、などの家庭用電気機器である。
【００１０】
請求項１記載の発明によれば、既設スイッチ（１１、２１）の共通端子（１１ａ、２１ａ）と既設スイッチ（１１、２１）の切替端子（１１ｂ、１１ｃ、２１ｂ）との間で屋内の負荷（１２）と電源１３とを介する既設配線Ｐの一部分と、既設スイッチ（１１、２１）の切替端子（１１ｂ、１１ｃ、２１ｂ）から延出する増設用配線Ｑと、の間に負荷（１２）をＯＮ／ＯＦＦする増設３路スイッチ１６の増設が可能となるように構成される。
すなわち、増設３路スイッチ１６を既設配線Ｐの一部分と増設用配線Ｑとの間に設けると、既設スイッチ（１１、２１）の共通端子（１１ａ、２１ａ）から既設配線Ｐを介して増設３路スイッチ１６に至り、この増設３路スイッチ１６から既設スイッチ（１１、２１）の切替端子（１１ｂ、１１ｃ、２１ｂ）に至る回路が形成される。これにより、屋内の負荷（１２）をＯＮ／ＯＦＦするスイッチとして、既設スイッチ（１１、２１）の他に増設３路スイッチ１６が増設される。
【００１１】
ここで、予め設ける既設スイッチ（１１、２１）の具体的な構成としては、共通端子と２つの切替端子をもつ「３路スイッチ」を用いても良いし、共通端子と１つの切替端子をもつ「片切スイッチ」を用いても良い。但し、既設スイッチ（１１、２１）として片切スイッチを設ける場合には、増設３路スイッチ１６を増設するときに、この片切スイッチを３路スイッチに取り替える。
【００１２】
また、上記構成によれば、増設３路スイッチ１６の増設作業は、基本的に既設配線Ｐの一部分と増設用配線Ｑとの間に増設３路スイッチ１６を設けるだけで足り、予め形成された既設配線Ｐは増設３路スイッチ１６の増設後にもそのまま利用される。従って、増設３路スイッチ１６の増設に伴って新たに配線を変更したりする必要がなく、スイッチの増設作業が容易である。さらに、増設３路スイッチ１６の増設後には既設配線Ｐがそのまま利用されるので、スイッチ増設に伴うコストの削減に大きく寄与する。
【００１３】
また、例えば、予め形成された大空間に間仕切り壁が設けられ、複数の間仕切り空間が形成される場合がある。そして、こうして形成された複数の間仕切り空間の負荷（１２）をＯＮ／ＯＦＦするスイッチを増設する必要が生じる。このような場合にも、請求項１記載の構成を適用すれば、間仕切りされた複数の空間のレイアウトに対応して、増設３路スイッチ１６が容易に増設される。
【００１４】
なお、大空間に配線を設けるときに、この大空間が間仕切りされた状態で、間仕切りされた空間に配置されることになる負荷（１２）については、予め１系統に配線しておき、各系統の配線から増設用配線Ｑを設けておくことが好ましい。
これにより、大空間から間仕切りされた空間にスイッチを増設する必要が生じたときに、請求項１記載の構成が適用され、増設３路スイッチ１６が容易に増設される。
【００１６】
また、既設３路スイッチ１１の共通端子１１ａと既設３路スイッチ１１の第１切替端子１１ｂとの間で屋内の照明ランプ１２と電源１３とを介して形成された既設配線Ｐの一部分と、予め既設３路スイッチ１１の第２切替端子１１ｃから延出する増設用配線Ｑと、の間に屋内の照明ランプ１２をＯＮ／ＯＦＦする増設３路スイッチ１６の増設が可能となるように構成される。すなわち、増設３路スイッチ１６を既設配線Ｐの一部分と増設用配線Ｑとの間に設けると、既設３路スイッチ１６の共通端子１１ａから既設配線Ｐ（屋内の照明ランプ１２と電源１３とを介する）を介して増設３路スイッチ１６に至り、この増設３路スイッチ１６から既設３路スイッチ１１の第２切替端子１１ｃに至る回路が形成される。これにより、屋内の照明ランプ１２をＯＮ／ＯＦＦするスイッチとして、既設３路スイッチ１１の他に増設３路スイッチ１６が増設される。従って、既設配線Ｐをそのまま利用して増設３路スイッチが増設でき、スイッチの増設が容易であると共に、増設３路スイッチの増設のためのコスト低減に大きく寄与する。
【００１７】
請求項２記載の発明は、例えば、図１、２に示すように、請求項１記載の可変空間対応配線システムにおいて、前記屋内の内面に設置され、前記既設配線Ｐの一部分と前記増設用配線Ｑの末端部分（例えばＭ位置）とを収容し、かつ、前記増設３路スイッチ１６の増設に際して配線の引き出しが可能な開口を備えた収容部（例えば、収容ボックス１４）が設けられていることを特徴とする。
【００１８】
請求項２記載の発明によれば、請求項１と同様の効果を奏することができるとともに、収容部（１４）は、既設配線Ｐの一部分と増設用配線Ｑの末端部分とを収容し、かつ、配線の引き出しが可能な開口を備える。これにより、増設３路スイッチ１６を増設するときには、この収容部（１４）に収容される既設配線Ｐの一部分と増設用配線Ｑとから、配線が開口を介して容易に引き出される。従って、既設配線Ｐの一部分と増設用配線Ｑとの間に、増設３路スイッチ１６が容易に増設される。これにより、スイッチ増設作業の負荷低減に大きく寄与する。また、収容部（１４）は屋内の内面に設置されるので、増設３路スイッチ１６を増設する作業者は、一目で収容部（１４）の位置を把握できる。これにより、スイッチ増設作業のときに配線を引き出す起点が容易に把握される。さらに、収容部（１４）が屋内の内面に設置されるので、収容部（１４）から配線を引き出すときには、天井などの張り替え工事が伴わず、スイッチ増設作業の負荷低減にさらに大きく寄与する。ここで、収容部が設置される「屋内の内面」とは、例えば、天井面、内壁面、床面を含む。
【００１９】
請求項３記載の発明は、例えば、図１、２に示すように、請求項１または２に記載の可変空間対応配線システムにおいて、前記負荷（１２）と、前記電源１３と、前記既設スイッチ（１１、２１）の共通端子（１１ａ、２１ａ）・切替端子（１１ｂ、１１ｃ、２１ｂ）と、の各々から引き出された配線の末端部分（例えば、各々、Ｄ位置およびＥ位置、Ｂ位置およびＣ位置、Ａ位置・Ｊ位置・Ｋ位置）を収容するジョイントボックス１５を設け、このジョイントボックス１５内で前記配線の末端部分どうしを接続することで配線が可能となっていることを特徴とする。
【００２０】
請求項３記載の発明によれば、請求項１または２と同様の効果を奏することができるとともに、負荷（１２）と、電源１３と、既設スイッチの共通端子（１１ａ、２１ａ）・切替端子（１１ｂ、１１ｃ、２１ｂ）と、の各々から引き出された配線の末端部分を収容するジョイントボックス１５が設けられる。これにより、ジョイントボックス１５の内部に収容される上記配線の末端部分を所定に選択して互いに接続することで、既設３路スイッチ１１および増設３路スイッチ１６でＯＮ／ＯＦＦされる負荷（１２）が適宜配線される。
【００２１】
なお、大空間に配線を設けるときに、大空間から間仕切りされた空間に配置されることになる負荷（１２）ごとに、予め１系統にまとめて配線しておく場合には、このジョイントボックス１５内部で、１系統にまとめて接続する上記配線の末端部分を接続することで、容易に各系統ごとに配線をすることができる。
【００２２】
請求項４記載の発明は、例えば、図３に示すように、請求項１〜３のいずれか一つに記載の可変空間対応配線システムにおいて、前記屋内（例えば居間・食堂Ｎ）に間仕切り壁Ｍが設けられて間仕切りされた状態で、間仕切りされた各々の空間Ｎ１、Ｎ２の負荷（１２）をＯＮ／ＯＦＦする増設３路スイッチ１６が、前記既設配線Ｐの一部分と前記増設用配線Ｑとの間に増設されていることを特徴とする。
【００２３】
請求項４記載の発明によれば、請求項１〜３のいずれか一つと同様の効果を奏することができるとともに、屋内に間仕切り壁Ｍが設けられて間仕切りされた空間Ｎ１、Ｎ２に、この空間Ｎ１、Ｎ２の照明ランプ１２をＯＮ／ＯＦＦする増設３路スイッチ１６を容易に増設できる。
【００２４】
請求項５記載の発明は、請求項１〜４のいずれか一つに記載の可変空間対応配線システムのスイッチ増設方法であって、前記屋内（Ｎ）に間仕切り壁Ｍが設けられて間仕切りされ、前記既設配線Ｐの一部分と前記増設用配線Ｑとの間に、間仕切りされた各々の空間Ｎ１、Ｎ２の負荷（１２）をＯＮ／ＯＦＦする増設３路スイッチ１６を増設することを特徴とする。
【００２５】
請求項５記載の発明によれば、請求項１〜４のいずれか一つと同様の効果を奏することができるとともに、屋内（Ｎ）に間仕切り壁Ｍが設けられて間仕切りされた空間Ｎ１、Ｎ２に、この空間Ｎ１、Ｎ２の負荷（１２）をＯＮ／ＯＦＦする増設３路スイッチ１６を容易に増設できる。
【００２６】
【発明の実施の形態】
以下、図１〜３を参照して、本発明の実施の形態の可変空間対応システムを詳細に説明する。本実施の形態の可変空間対応システムは、予め大空間に本実施の形態特有の配線を設けておき、この大空間が間仕切りされた場合に、間仕切りされた部屋空間にスイッチを容易に増設できる。
図１（ａ）に、間仕切りされる前の大空間に設けられる配線の基本構成を示す（すなわちスイッチ増設前の状態）。この配線は、スイッチ増設のときに配線が引き出される部分となる収容ボックス１４（収容部）と、各スイッチでＯＮ／ＯＦＦされる照明ランプ１２（負荷）などを内部で適宜配線できるジョイントボックス１５と、照明ランプ１２をＯＮ／ＯＦＦする既設３路スイッチ１１（既設スイッチ）と、を備える。
【００２７】
既設３路スイッチ１１は、図１（ａ）に示すように、共通端子１１ａと、第１切替端子１１ｂ（切替端子の一部）と、第２切替端子１１ｃ（切替端子の一部）と、を備える。
そして、共通端子１１ａと第１切替端子１１ｂとのあいだで、共通端子１１ａから電源１３および照明ランプ１２を介して第１切替端子１１ｂに至る既設配線Ｐが形成される。これにより、既設３路スイッチ１１の操作に伴って、スイッチ１１ｄが第１切替端子１１ｂと第２切替端子１１ｃとのあいだで切り替えられ、室内の照明ランプ１２がＯＮ／ＯＦＦされる。
なお、共通端子１１ａは二股形状とされており、この二股形状の一方の末端から既設配線Ｐが形成されると共に、他方の末端は開放され、この開放された末端から配線を適宜引き出すことができる。また、図１（ａ）では、照明ランプ１２は１つのみ図示するが、この部分に複数の照明ランプ１２を接続することで、これら複数の照明ランプ１２が既設３路スイッチ１１でＯＮ／ＯＦＦされるように構成される。
【００２８】
収容ボックス１４は、図１（ａ）に示すように、既設配線Ｐの一部分（およそＧ位置からＨ位置の部分）と増設用配線Ｑの末端部分（Ｍ位置）とを収容する。スイッチ増設前の状態で、予め収容ボックス１４にこれらが収容されるように配線しておく。
また、収容ボックス１４は、屋内の内面（例えば天井面）に設置される。このために、スイッチの増設に際して、作業者は、増設用配線Ｑの起点を収容ボックス１４の位置から容易に把握できる。本実施の形態では、収容ボックス１４は開閉自在に構成される。そして、収容ボックス１４は、開閉する部分を開いた状態で、屋内から臨まれる開口（図示しない）を備える。これにより、この開口（図示しない）を介して、収容ボックス１４に収容される既設配線Ｐの一部分（およそＧ位置からＨ位置の部分）と増設用配線Ｑの末端部分（Ｍ位置）とから、屋内に向かって配線を引き出すことが可能となっている。
従って、スイッチ増設に際して、収容ボックス１４に収容される既設配線Ｐの一部分と増設用配線Ｑとから配線を引き出すことができるようになっている。そして、引き出された既設配線Ｐの一部分と増設用配線Ｑとの間に、スイッチを増設できるようになっている。
【００２９】
ジョイントボックス１５は、照明ランプ１２と、電源１３と、既設３路スイッチ１１の各端子（すなわち共通端子１１ａ、第１切替端子１１ｂ、第２切替端子１１ｃ）と、などから引き出された配線の末端部を収容する。
本実施の形態では、ジョイントボックス１５は、既設３路スイッチ１１の共通端子１１ａから引き出される配線の末端部分（Ａ位置）と、第１切替端子１１ｂおよび第２切替端子１１ｃから引き出される配線の末端部分（Ｊ位置およびＫ位置）と、電源１３から引き出される配線の末端部分（Ｂ、Ｃ位置）と、照明ランプ１２から引き出される配線の末端部分（Ｄ、Ｅ位置）と、を収容する。また、収容ボックス１４に既設配線Ｐの一部分（およそＧ位置からＨ位置の部分）を収容するために引き出される配線の端部（Ｆ、Ｉ位置）を収容する。さらに、第２切替端子１１ｃから引き出される増設用配線Ｑの末端部分（Ｋ位置）と、収容ボックス１４に増設用配線Ｑを収容するために引き出される配線の端部（Ｌ位置）と、を収容する。
そして、ジョイントボックス１５内でこれら末端部分どうしを接続することで、所定の配線が適宜形成される。本実施の形態では、Ａ位置とＢ位置、Ｃ位置とＤ位置、Ｅ位置とＦ位置、Ｉ位置とＪ位置、とが接続され、共通端子１１ａから第１切替端子１１ｂに至る既設配線Ｐが形成される。また、Ｋ位置とＬ位置とが接続され、第２切替端子１１ｃから収容ボックス１４に至る増設用配線Ｑが形成される。
【００３０】
増設３路スイッチ１６は、図１（ｂ）に示すように、収容ボックス１４に収容される既設配線Ｐの一部分（およそＧ位置からＨ位置の部分）と、増設用配線Ｑの末端部分（Ｍ位置）と、のあいだに増設される。そして、図１（ｂ）に示す増設後の状態では、この配線経路に設けられる照明ランプ１２は、以下に示すように、既設３路スイッチ１１と増設３路スイッチ１６との双方でＯＮ／ＯＦＦ可能となる。
【００３１】
すなわち、図１（ｂ）に示すように、「既設３路スイッチ１１のスイッチ１１ｄが第１切替端子１１ｂに接続され」かつ「増設３路スイッチ１６のスイッチ１６ｄが切替端子１６ｂに接続され」ている状態では、照明ランプ１２および電源１３を介した閉回路が形成された状態であり、照明ランプ１２の「ＯＮ状態」となる。
この状態から、「既設３路スイッチ１１のスイッチ１１ｄを第２切替端子１１ｃに切り替えるか」もしくは「増設３路スイッチ１６のスイッチ１６ｄを切替端子１６ｃに切り替える」と、照明ランプ１２および電源１３を介した閉回路が形成されず、照明ランプ１２の「ＯＦＦ状態」となる。
さらに、この状態で、「既設３路スイッチ１１もしくは増設３路スイッチ１６のいずれか一方を切り替える」ことで、再び、照明ランプ１２と電源１３とを介した閉回路が形成され「ＯＮ状態」となる。
すなわち、図１（ｂ）に示すように配線した状態では、「既設配線１１が第１切替端子１１ｂに接続され」かつ「増設３路スイッチ１６が切替端子１６ｂに接続され」ている状態、もしくは、「既設配線１１が第１切替端子１１ｃに接続され」かつ「増設３路スイッチ１６が切替端子１６ｃに接続され」ている状態、のときに照明ランプ１２が「ＯＮ状態」となる。そして、この状態とは異なる場合に照明ランプ１２が「ＯＦＦ状態」となる。
【００３２】
従って、大空間が複数の空間に間仕切りされた場合でも、間仕切りされた空間の照明ランプ１２をＯＮ／ＯＦＦする２つのスイッチ（すなわち既設３路スイッチ１１と増設３路スイッチ１６）が設けられる。
これにより、例えば、間仕切りされた空間に出入りするためのドア（図示しない）を、間仕切り壁（図示しない）に設ける場合に、増設３路スイッチ１６をこのドアの付近に増設することで、既設３路スイッチ１１と増設３路スイッチの双方で照明ランプ１２がＯＮ／ＯＦＦできるように構成される。これにより、既設３路スイッチ１１で、間仕切りされた空間に設けられる照明ランプ１２をＯＮしてこの空間に入室し、増設３路スイッチ１６を付近に設けたドアから退出するときに、既設３路スイッチ１１ではなく増設３路スイッチ１６で、この空間の照明ランプ１２をＯＦＦして退出することができる。
このように、既設３路スイッチと双方的に照明ランプ１２をＯＮ／ＯＦＦできる増設３路スイッチ１６が増設され、間仕切りされた空間にドアを設ける場合にも、使い勝手の良い増設３路スイッチ１６の増設が可能となる。
【００３３】
次に、本発明の実施の形態の可変空間対応システムのスイッチ増設方法を説明する。
すなわち、先ず、収容ボックス１４の中で既設配線Ｐの一部分であるＧ位置とＨ位置とを短絡し、Ｇ´位置およびＨ´位置を介して、収容ボックス１４のそとに配線を引き出す。一方で、増設用配線Ｑの末端部分（Ｍ位置）から、Ｍ´位置を介して、収容ボックス１４のそとに配線を引き出す。以上の作業は、予め収容ボックス１４に既設配線Ｐの一部分が収容されているために、収容ボックス１４内で行われ作業が容易である。また、スイッチ増設のときに収容ボックス１４のなかから配線が適宜引き出せるので、従来のような天井張り替え工事が伴わず、スイッチ増設の作業負荷が大幅に低減される。
また、このように、収容ボックス１４から配線を適宜引き出して増設３路スイッチ１６が増設されるので、増設３路スイッチ１６を設ける位置は、引き出される配線の長さを適宜調節することで自在に設定できる。従って、大空間に間仕切り壁が設けられ、間仕切りされた空間に増設３路スイッチ１６を設ける場合にも、所望の位置に増設３路スイッチ１６を増設できる。
さらに、増設３路スイッチ１６を増設する作業は、基本的に収容ボックス１４から配線を引き出すことで行われ、既設配線Ｐを配線し直すなどの作業は伴わない。従って、増設３路スイッチ１６の増設後にも既設配線Ｐはそのまま利用され、スイッチ増設のトータルコスト低減に大きく寄与する。
【００３４】
そして、例えば、増設３路スイッチ１６の共通端子１６ａと、収容ボックス１４のＧ´位置と、を接続すると共に、増設３路スイッチ１６の一方の切替端子１６ｂと、収容ボックス１４のＨ´位置と、を接続する。また、増設３路スイッチ１６の他方の切替端子１６ｃと、収容ボックス１４のＭ´位置と、を接続する。
以上の通りに配線することで、増設用３路スイッチ１６は、収容ボックス１４に収容される既設配線Ｐの一部分（およそＧ位置からＨ位置の部分）と、増設用配線Ｑの末端部分（Ｍ位置）と、のあいだに設けられる（図１（ｂ）に示す状態）。そして、この配線経路に設けられる照明ランプ１２は、既設３路スイッチ１１と増設３路スイッチ１６との双方でＯＮ／ＯＦＦ可能な構成となる。また、壁内配線などの既設配線Ｐがそのまま利用でき、スイッチ増設のコスト低減に寄与する。
以上の通りにして、本実施の形態の可変空間対応システムにおいて、スイッチが増設される。
【００３５】
なお、図２（ａ）に示すように、予め大空間に本実施の形態特有の配線を設けるときに、既設３路スイッチ１１に変えて、片切スイッチ２１（既設スイッチ）を設ける構成としても良い。この片切スイッチ２１は、共通端子２１ａと１つの切替端子２１ｂとを備える。これら共通端子２１ａおよび切替端子２１ｂは二股形状とされ、スイッチ２１ｃにより切り替えられる。そして、共通端子２１ａの二股形状の一方の末端２１ａａから切替端子２１ｂの二股形状の一方の末端２１ｂａに至る部分に、既設配線Ｐが設けられる。また、切替端子２１ｂの二股形状の他方の末端２１ｂｂから延出して増設用配線Ｑが設けられる。
以上の図２（ａ）に示す構成とする場合には、増設３路スイッチ１６を増設するときに、図２（ｂ）に示すように、片切スイッチ２１を既設３路スイッチ１１に取り替える。これにより、既設３路スイッチ１１を設ける場合と同様に、増設３路スイッチ１６が増設される。なお、図２では、図１と同様の構成要素については、同一の符号を付してその説明を省略する。
【００３６】
以上の本発明の実施の形態の可変空間対応システムによれば、収容ボックス１４から配線を引き出して、既設配線Ｐの一部分（およそＧ位置からＨ位置の部分）と増設用配線Ｑとの間に、増設３路スイッチ１６を容易に増設できる。従って、例えば、屋内に間仕切り壁が設けられて間仕切りされた空間に、この空間の照明ランプ１２をＯＮ／ＯＦＦする増設３路スイッチ１６を容易に増設できる。また、増設３路スイッチの増設後にも既設配線Ｐは配線し直すことなくそのまま利用され、スイッチ増設に伴うコストの削減に大きく寄与する。
【００３７】
以下、図３を参照して、本発明の実施の形態の可変空間対応配線システムを、実施例により詳細に説明する。
［実施例］
図３に示すように、予め居間・食堂Ｎを大空間に形成し、この後に間仕切り壁Ｍを設け、２つの空間Ｎ１、Ｎ２に間仕切りした。大空間に形成した居間・食堂Ｎの空間の配線に、本実施の形態の可変空間対応配線システムの配線を適用し、間仕切り壁Ｍが設けられ間仕切りされた状態で、以下に示すように、増設３路スイッチＳ１、Ｓ２を増設した。
【００３８】
すなわち、先ず、大空間に形成された居間・食堂Ｎ（スイッチ増設前の状態）に、既設３路スイッチＲ１（既設スイッチ）でＯＮ／ＯＦＦされ、照明ランプＲ１ａ、Ｒ１ｂ、Ｒ１ｃ、Ｒ１ｄを介する既設配線Ｐ１を設けた。また、既設３路スイッチＲ２（既設スイッチ）でＯＮ／ＯＦＦされ、照明ランプＲ２ａ、Ｒ２ｂ、Ｒ２ｃ、Ｒ２ｄ、Ｒ２ｅ、Ｒ２ｆを介する既設配線Ｐ２を設けた。これら既設３路スイッチＲ１、Ｒ２の既設配線Ｐ１、Ｐ２が形成される側と反対の切替端子（図示しない）から増設用配線Ｑ１、Ｑ２を引き出した。なお、図３中「Ｄ」で照明ランプを示す。
また、居間・食堂Ｎには収容ボックスＴを屋内の天井面に設け、既設配線Ｐ１、Ｐ２の経路の一部分（図示しない）と、増設用配線Ｑ１、Ｑ２の末端部分（図示しない）と、を収容した。
【００３９】
なお、図３中、この居間・食堂Ｎを含む平面図において、電気配線は以下の３通りに区別して示している。すなわち、収容ボックスＴから配線を引き出してスイッチの増設が可能な既設配線（既設配線Ｐ１、Ｐ２など）を、間隔が狭い点線「------」で示し、増設用配線（増設用配線Ｑ１、Ｑ２など）を間隔が広い点線「- - -」で示し、その他の配線を実線「−」で示している。また、増設用配線Ｑ１としては、照明ランプＲ１ｂから収容ボックスＴに至る部分のみ図示し、増設用配線Ｑ２としては、点Ａから収容ボックスＴに至る部分のみ図示し、その他の増設用配線Ｑ１、Ｑ２の部分は、既設配線Ｐ１、Ｐ２と同一の経路に配線されている。さらに、増設用配線Ｑ１、Ｑ２が図示される部分に沿って既設配線Ｐ１、Ｐ２が配線され、収容ボックスＴに既設配線Ｐ１、Ｐ２の一部が収容される。
【００４０】
以上の通りに配線した状態で、居間・食堂Ｎに間仕切り壁Ｍを設けた。この間仕切り壁Ｍには、間仕切りされた空間Ｎ１、Ｎ２を行き来するためのドアＵを設けた。
そして、収容ボックスＴに収容される既設配線Ｐ１の一部分（図示しない）を短絡し、増設用配線Ｑ１とのあいだに、既設配線Ｐ１の照明ランプをＯＮ／ＯＦＦする増設３路スイッチＳ１を設けた。この増設３路スイッチＳ１は、収容ボックスＴが備える開口（図示しない）から配線ａ１を引き出して、間仕切りされた空間Ｎ１側の間仕切り壁Ｍの壁面でドアＵの付近に設けた。同様に、既設配線Ｐ２の照明ランプをＯＮ／ＯＦＦする増設３路スイッチＳ２を、収容ボックスＴが備える開口（図示しない）から配線ａ２を引き出して、間仕切りされた空間Ｎ２側の間仕切り壁Ｍの壁面でドアＵの付近に設けた。
【００４１】
以上の通りに増設された増設３路スイッチＳ１、Ｓ２は、例えば、以下の通りに機能する。すなわち、先ず、間仕切りされた空間Ｎ１の照明ランプが「ＯＮ状態」のときに、増設３路スイッチＳ１でこれら照明ランプを「ＯＦＦ状態」とする。こののちに、ドアＵを介して間仕切りされた空間Ｎ２に入室するにあたり、増設３路スイッチＳ２で間仕切りされた空間Ｎ２の照明ランプを「ＯＮ状態」とすることができる。
以上の通りに、増設３路スイッチＳ１、Ｓ２を増設した。
【００４２】
なお、本発明は上記実施の形態に限定されるものではない。すなわち、本発明の趣旨を逸脱しない範囲において、適宜に変更可能であることは勿論である。
【００４３】
【発明の効果】
請求項１記載の発明によれば、増設３路スイッチを増設するには、基本的に既設配線の一部分と増設用配線との間に増設３路スイッチを設けるだけで良く、増設作業が容易である。また、予め形成された既設配線は増設３路スイッチの増設後にもそのまま利用され、スイッチ増設に伴うコストの削減に大きく寄与する。従って、例えば、予め形成された大空間に間仕切り壁が設けられ、複数の間仕切り空間が形成される場合に、この間仕切りされた空間に増設３路スイッチが容易に増設される。
【００４４】
また、既設配線をそのまま利用して増設３路スイッチが増設できスイッチの増設が容易であり、スイッチの増設のためのコスト低減に大きく寄与し、請求項１と同様の効果を奏することができる。
【００４５】
請求項２記載の発明によれば、請求項１と同様の効果を奏することができるとともに、天井などの張り替え工事が伴わず、スイッチ増設の作業負荷が大きく低減され、増設３路スイッチが容易に増設される。また、スイッチ増設作業のときに配線を引き出す起点が容易に把握される。
【００４６】
請求項３記載の発明によれば、請求項１または２と同様の効果を奏することができるとともに、ジョイントボックスの内部に収容される配線の末端部分を適宜接続して、既設３路スイッチおよび増設３路スイッチでＯＮ／ＯＦＦされる照明ランプが配線される。
【００４７】
請求項４記載の発明によれば、請求項１〜３のいずれか一つと同様の効果を奏することができるとともに、屋内に間仕切り壁が設けられて間仕切りされた空間に、この空間の照明ランプをＯＮ／ＯＦＦする増設３路スイッチを容易に増設できる。
【００４８】
請求項５記載の発明によれば、請求項１〜５のいずれか一つと同様の効果を奏することができるとともに、屋内に間仕切り壁が設けられて間仕切りされた空間に、この空間の照明ランプをＯＮ／ＯＦＦする増設３路スイッチを容易に増設できる。
【図面の簡単な説明】
【図１】本発明を適用した一実施の形態の可変空間対応システムに設けられる配線の基本構成を示す図である。
【図２】図１の変形例であり、既設３路スイッチ１１に変えて片切スイッチ２１を設ける構成を示す図である。
【図３】図１の基本構成を居間・食堂Ｎに適用した実施例を示す図である。
【図４】従来のスイッチを増設するときの構成の一例を示す図である。
【符号の説明】
１１            既設３路スイッチ（既設スイッチ）
１１ａ、２１ａ  共通端子
１１ｂ          第１切替端子（切替端子の一部）
１１ｃ          第２切替端子（切替端子の一部）
１２            照明ランプ（負荷）
１３            電源
１４、Ｔ        収容ボックス（収容部）
１５            ジョイントボックス
１６            増設３路スイッチ
２１            片切スイッチ（既設スイッチ）
２１ｂ          切替端子
Ｐ              既設配線
Ｑ              増設用配線
【図１】
0004558906.tif 000002
【図２】
0004558906.tif 000003
【図３】
0004558906.tif 000004
【図４】
0004558906.tif 000005